(57)【要約】【課題】携帯端末装置を開く前に各種の機能を選択した後、その機能が主操作部による操作を必要とする場合に、主操作部による操作をすることができる状態にスムーズに移行することができる重ね型携帯端末装置を提供する。【解決手段】第１，第２筐体３２，３４の開閉状態を検出する開閉状態検出部６４を有し、第１，第２筐体３２，３４の閉状態のときに補助的操作部４２，４４の操作により表示部１１に表示される選択画面７２の中から特定の項目が選択された後に開動作が行われた場合、特定の項目に対応する表示画面が表示部１１に表示されるように制御する制御部６２を有するようにした。【選択図】      図１１
2004172691.tif 000002
【特許請求の範囲】
【請求項１】
少なくとも表示部を有する第１筐体と、少なくとも主操作部を有する第２筐体とが開閉可能に連結され、
前記主操作部は閉状態にて前記第１筐体により覆われ且つ開状態にて外側に露出すると共に、前記表示部の表示面は閉状態及び開状態のいずれの状態でも外側に露出させることが可能であって、
前記閉状態にて前記両筐体の互いに対向する面以外の面に少なくとも一つの補助的操作部を備える重ね型携帯端末装置において、
前記閉状態にて前記補助的操作部の操作により前記表示部に選択画面を表示させると共に、前記選択画面の中から特定の項目を選択した後に開状態とした場合、前記特定の項目に対応する表示画面を前記表示部に表示させるように制御する制御部を有する
ことを特徴とする重ね型携帯端末装置。
【請求項２】
少なくとも表示部を有する第１筐体と、少なくとも主操作部を有する第２筐体とが開閉可能に連結され、
前記主操作部は閉状態にて前記第１筐体により覆われ且つ開状態にて外側に露出すると共に、前記表示部の表示面は閉状態及び開状態のいずれの状態でも外側に露出させることが可能であって、
前記閉状態にて前記両筐体の互いに対向する面以外の面に少なくとも一つの補助的操作部を備える重ね型携帯端末装置において、
前記第１，第２筐体の開閉状態を検出する開閉状態検出部と、
前記閉状態にて前記補助的操作部の操作により前記表示部に選択画面を表示させると共に、前記選択画面の中から特定の項目を選択した後、前記閉状態から開動作したことを前記開閉状態検出部にて検知した場合、前記特定の項目に対応する表示画面を前記表示部に表示させるように制御する制御部とを有する
ことを特徴とする重ね型携帯端末装置。
【請求項３】
前記選択画面は、メール機能、メモ帳機能、スケジュール帳機能、ブラウザ機能、伝言／音声メモ機能、履歴表示機能、カメラ機能のうち２つ以上の機能項目からなる機能選択画面であることを特徴とする請求項１又は請求項２に記載の重ね型携帯端末装置。
【請求項４】
前記選択画面は、メール機能、メモ帳機能、スケジュール帳機能、カメラ機能のうちいずれか一つの機能中における複数の選択項目からなる選択画面であることを特徴とする請求項１又は請求項２に記載の重ね型携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関し、詳しくは、互いに重ね合わせ可能に連結された複数の筐体から構成される重ね型携帯端末装置に関するものである。
【０００２】
【従来の技術】
【特許文献１】特開平１１−２１５２１８号公報
【特許文献２】特開２００２−１４１９８４号公報
【特許文献３】特開２００２−１３５３８０号公報
【特許文献４】特開平７−２８８８６０号公報
【０００３】
従来、２つの筐体を折り畳むことが可能な折り畳み型携帯端末装置として、図１２に示すような折り畳み型携帯電話機２が一般的に知られている。この折り畳み型携帯電話機２は、一方の筐体４の内側面１０に出力情報を表示するＬＣＤ（液晶ディスプレイ）等の表示面１２及びスピーカー１３が設けられており、他方の筐体６の内側面１４に主操作部１６及びマイク１５が設けられている。
【０００４】
主操作部１６には、表示面１２に表示される項目を選択することができるように、上下左右の方向に指示することができる十字キー１８、数字や文字を入力することができるテンキー２０、その他各種のキーが配置されている。
【０００５】
このような折り畳み型携帯電話機２は、それが持つ各種機能を機能選択画面として表示面１２に表示するようになっており、その際、各種機能がどのようなものなのかを理解することができるように、例えば文字により機能項目を表示し、これを図７のように配列したものがあった。
【０００６】
しかしながら、図１２に示すような折り畳み型携帯電話機２においては、一方の筐体４と他方の筐体６が折り畳まれているときには、これを開いてからでなければ表示面１２を見ることができず、折り畳んだ状態では表示面１２に情報を出力しても閲覧することができないといった問題があった。
【０００７】
このような、表示面１２を閲覧するために折り畳み型携帯電話機２を開く手間がかかって煩わしいという問題を解決するために、折り畳んだ状態又はこれに相当する状態にした場合であっても、表示面１２が外側に向くようにしたものがある。
【０００８】
このような携帯端末装置としては、例えば前記特許文献１、特許文献２、及び特許文献３に記載されているような重ね型携帯端末装置がある。これらの重ね型携帯端末装置は、連結される２つの筐体を開いた状態では、図１２に示す折り畳み型携帯電話機２の姿勢と同様に、一方の筐体に設けられている表示面が内側を向いている。
【０００９】
しかしながら、このような従来の重ね型携帯端末装置は、前記折り畳み型携帯電話機２とは異なり、２つの筐体の連結部で、一方の筐体を１８０度捻りながら折り畳んで重ねることができる構造になっているので、表示面が外側に向くようにして２つの筐体を重ねることができる。
【００１０】
また、他の従来の重ね型携帯端末装置としては、前記特許文献４に記載されているものがある。この重ね型携帯端末装置は、表示面が設けられている一方の筐体と、操作部が設けられている他方の筐体が、表示面と操作部を同じ方向に向けて重ねた状態で、これらの２つの筐体を貫く方向に設けられた軸により連結されている。
【００１１】
この重ね型携帯端末装置は、一方の筐体が他方の筐体に対し、軸を中心として扇子を広げるような動作により開くことができ、また、表示面が外側に向いたままで２つの筐体を重ねた状態にしておくことができるようになっている。
【００１２】
ところが、これらのような重ね型携帯端末装置について、２つの筐体が重ねられた状態のままでは、ユーザーは表示面を見ることができても、主操作部が表示面側の筐体により覆われて隠れてしまうため、その操作部を操作することができない。このような問題を解決するために、上記の特許文献４に記載されている重ね型携帯端末装置は、簡単な操作を行うための補助的操作キーを、２つの筐体を重ねた場合に互いに対向する面以外の面に配置するようにしている。
【００１３】
【発明が解決しようとする課題】
しかしながら、前記特許文献４等に記載されている携帯端末装置では、メール機能によるメールの作成やメモ帳機能の編集作業等のように、主操作部による入力作業を必要とする機能を使用する場合、例えば補助的操作キーの操作によって表示面に機能選択画面を表示させた後、さらに補助的操作キーの操作によって表示面に表示されている機能選択画面から、メール機能やメモ帳機能等の特定の機能選択項目を選択及び決定してこれを起動させた後、さらに主操作部のテンキー等の操作によって入力作業を行うために、表示部側の筐体を主操作部側の筐体に対して開く動作を行わなければならないというように、特に主操作部による操作を必要とする機能選択項目の機能を起動させる場合、手間がかかるという問題があった。
【００１４】
そこで本発明は、携帯端末装置を開く前に各種の機能を選択した後、その機能が主操作部による操作を必要とする場合に、主操作部による操作をすることができる状態に少ない操作で移行することができる重ね型携帯端末装置を提供することを課題とするものである。
【００１５】
【課題を解決するための手段】
上記課題を解決するために請求項１に係る発明は、
少なくとも表示部を有する第１筐体と、少なくとも主操作部を有する第２筐体とが開閉可能に連結され、
前記主操作部は閉状態にて前記第１筐体により覆われ且つ開状態にて外側に露出すると共に、前記表示部の表示面は閉状態及び開状態のいずれの状態でも外側に露出させることが可能であって、
前記閉状態にて前記両筐体の互いに対向する面以外の面に少なくとも一つの補助的操作部を備える重ね型携帯端末装置において、
前記閉状態にて前記補助的操作部の操作により前記表示部に選択画面を表示させると共に、前記選択画面の中から特定の項目を選択した後に開状態とした場合、前記特定の項目に対応する表示画面を前記表示部に表示させるように制御する制御部を有することを特徴とする。
【００１６】
また、上記課題を解決するために請求項２に係る発明は、
少なくとも表示部を有する第１筐体と、少なくとも主操作部を有する第２筐体とが開閉可能に連結され、
前記主操作部は閉状態にて前記第１筐体により覆われ且つ開状態にて外側に露出すると共に、前記表示部の表示面は閉状態及び開状態のいずれの状態でも外側に露出させることが可能であって、
前記閉状態にて前記両筐体の互いに対向する面以外の面に少なくとも一つの補助的操作部を備える重ね型携帯端末装置において、
前記第１，第２筐体の開閉状態を検出する開閉状態検出部と、
前記閉状態にて前記補助的操作部の操作により前記表示部に選択画面を表示させると共に、前記選択画面の中から特定の項目を選択した後、閉状態から開動作したことを前記開閉状態検出部にて検知した場合、前記特定の項目に対応する表示画面を前記表示部に表示させるように制御する制御部とを有することを特徴とする。
【００１７】
このような重ね型携帯端末装置によれば、主操作部による操作を必要とする選択項目の機能を起動させる場合でも、閉状態にて表示面に表示されている選択画面のうち所望の選択項目を選択した後、開動作を行うようにするだけで選択項目を自動的に起動させることができる。このため、少ない操作で、主操作部による操作をすることができる状態に移行することができ、操作を簡略化することができると共に、利便性を向上させることができる。
【００１８】
なお、本発明における選択画面とは、メール機能、メモ帳機能、スケジュール帳機能、ブラウザ機能、伝言／音声メモ機能、履歴表示機能、カメラ機能のうち２つ以上の機能項目からなる機能選択画面、或はメール機能、メモ帳機能、スケジュール帳機能、カメラ機能のうちいずれか一つの機能中における複数の選択項目からなる選択画面のことを指す。
【００１９】
【発明の実施の形態】
以下、本発明に係る重ね型携帯端末装置の実施の形態について、図面に基づいて具体的に説明する。
【００２０】
図１ないし図１１は、本発明の一実施の形態に係る重ね型携帯電話機３０（重ね型携帯端末装置に相当）について説明するために参照する図である。これらの図に示す重ね型携帯電話機３０は、従来の折り畳み型携帯電話機２と同様の部分には同じ符号を付して説明し、従来と同様の構成についての重複する説明は省略するものとする。
【００２１】
この重ね型携帯電話機３０は、図１及び図２に示すように、第１筐体３２と第２筐体３４で構成され、第１筐体３２と第２筐体３４を貫く方向に設けられた軸３６により連結されている。
【００２２】
重ね型携帯電話機３０は、第１筐体３２と第２筐体３４を重ねた状態でも表示面１２を外側から見ることができるように、第１筐体３２の第２筐体３４と反対側の面側に表示部１１を設けてある。また、第１筐体３２と第２筐体３４を重ねた状態でも操作することもできるように、第１筐体３２及び第２筐体３４のそれぞれの側面３８，４０には、補助的操作部としてのサイドキー４２と３方向レバー４４が設けられている。
【００２３】
なお、符号１３ａ及び１３ｂはそれぞれ、第１筐体３２の表示部１１が配置された面に設けられたスピーカーで、表示部１１を挟んで上下に配置されている。また、符号１５は第２筐体３４の主操作部１６が配置された面に設けられたマイクである。
【００２４】
重ね型携帯電話機３０は、第１筐体３２と第２筐体３４が重ねられた状態から、軸３６を中心にして、第１筐体３２を矢印ａに示すように１８０度回動することにより，図３及び図４に示すように、第２筐体３４に設けられた主操作部１６が外側に見える、開いた状態にすることができる。また、このとき表示面１２は主操作部１６と略同じ方向を向いた状態で回動するため、開いた状態でも表示面１２を外側から見ることができる。
【００２５】
なお、本実施の形態に係る重ね型携帯電話機３０は、第１筐体３２が軸３６を中心にして回動するような構造としたが、これとは別の実施の形態として、レール等を設けて、図１に示した状態から第１筐体３２が、第２筐体３４に対して矢印ｂで示す方向にスライドする構造としてもよい。
【００２６】
或は、前記特許文献２等に記載された発明のように、第１筐体３２と第２筐体３４が連結されて、この連結部が折り畳み動作と捻り動作を共にすることができるような構造としたものであってもよい。
【００２７】
したがって、重ね型携帯端末装置をこれらのような構造としても、本実施の形態に係る重ね型携帯電話機３０と同様に、図１及び図２に示すような状態や、図３及び図４に示すような状態にすることができる。このため、本発明では、図１及び図２に示すような状態を「重ねた状態」又は「閉状態」といい、図３及び図４に示すような状態を「開状態」ということとする。そして、「閉状態」から「開状態」にすることを「開動作」ということとする。
【００２８】
次に、主操作部１６、サイドキー４２及び３方向レバー４４等について説明する。重ね型携帯電話機３０は、図３に示すように、第１筐体３２と第２筐体３４が開いた状態では、第２筐体３４の内側に設けられている主操作部１６内の十字キー１８及びテンキー２０を操作することができる。このとき誤動作を防止するために、サイドキー４２及び３方向レバー４４を用いて行われる操作は無効となるようにする。
【００２９】
また、重ね型携帯電話機３０は、図４に示すように、その背面にカメラ４６、鏡４８、録画用マイク５０を備えており、これらは、開状態でも、或は閉状態でも動作することができる。
【００３０】
なお、第１筐体３２と第２筐体３４が重ねられている状態で使用する３方向レバー４４は、図５に示すように、上方向（矢印ｃ方向）及び下方向（矢印ｄ方向）に動かすことができ、そしてセンター方向（矢印ｅ方向）に押し込むことができるようになっている。
【００３１】
そして、閉状態での待受状態において、３方向レバー４４をセンター方向（矢印ｅ方向）に押し込むことにより、表示面１２に、図７に示すような機能項目が上下方向に配列（一次元的配列）された第１の機能選択画面７２を表示させ、さらに３方向レバー４４を、図５中の上方向（矢印ｃ方向）及び下方向（矢印ｄ方向）に動かすことにより機能項目を選択し、次いでセンター方向（矢印ｅ方向）に押し込むことにより選択した機能項目を決定し、その機能を起動させるようになっている。
【００３２】
また、図１ないし図４に示すサイドキー４２は押し込むことができるようになっていて、３方向レバー４４により操作された選択項目の決定は、サイドキー４２によりキャンセルして、一つ前の表示画面に戻すことができるようになっている。
【００３３】
図６は、重ね型携帯電話機３０の回路図を示し、符号６０に示す各種機能部は、制御部６２により制御されて動作するようになっている。この回路図において、状態検出手段６４（開閉状態検出部）は、図１ないし図４において図示されていないが、第１筐体３２と第２筐体３４が閉状態又は開状態にあるのか、或は動作中にあるのかを検出して、制御部６２にその旨の信号を出力するものである。
【００３４】
このような状態検出手段６４としては、例えば第１筐体３２の回動により導通する接点を設けるようにしてもよいし、機械的スイッチやセンサーを設けるようにしてもよい。
【００３５】
次に、図７ないし図１０は、表示面１２に表示される選択画面を示したものである。
図７は、閉状態における第１の機能選択画面７２である。閉状態では、サイドキー４２及び３方向レバー４４による操作が行なわれるので、これに対応して第１の機能選択画面７２には各種機能を文字列の項目として縦方向に配列（一次元的に配列）している。
【００３６】
なお、図中においては、Ｅメール機能の項目の枠内が他の機能項目の枠内の色と異なる色で表示されており、このようにして機能項目が選択されていることをユーザーに認識させるようになっている。このためユーザーは、操作しようとする機能項目の枠内の色が他の機能項目の枠内の色と異なることを確認して、３方向レバー４４をセンター方向（図５中、矢印ｅ方向）に押し込むことにより、その機能項目を決定する。
【００３７】
図８は、開状態における第２の機能選択画面７４である。開状態では、上下左右に操作して選択することが可能な主操作部１６の十字キー１８等を使用することができるので、これに対応して第２の機能選択画面７４には各種機能を縦横２次元的に配列したアイコンにより表示している。
【００３８】
なお、図８中においては、アドレス帳のアイコンが枠で囲まれているが、これは枠で囲まれている機能項目が選択されているものであることを、ユーザーに認識させるようにしたものである。
【００３９】
図９は、閉状態及び開状態の両方の状態におけるＥメール機能中の選択画面７６である。送信しようとするＥメール（電子メール）の文章を作成することができる「新規作成」、受信したＥメールの内容を確認することができる「受信ボックス」、または送信するＥメールの内容を確認することができる「送信ボックス」の、いずれかの項目を選択することができるようになっている。
【００４０】
図１０は、同じく閉状態及び開状態の両方の状態におけるメモ帳機能中の選択画面７８である。メモを作成することができる「メモ作成」、または作成したメモを閲覧することができる「閲覧」の項目を、選択することができるようになっている。
【００４１】
このように、第１の機能選択画面７２や第２の機能選択画面７４等は、重ね型携帯電話機３０の各種機能を項目的に表示しているので、ユーザーは、これらの機能項目の中から、特定の機能項目を選択し、さらにその機能項目に対応する機能を起動させることができるようになっている。
【００４２】
また、Ｅメール機能中の選択画面７６等のように、特定の機能中における選択画面は、重ね型携帯電話機３０の各種機能が持っている第２の機能項目を項目的に表示しているので、ユーザーは、特定の機能項目を開けた第２の機能項目の中から、特定の機能項目を選択し、さらにその機能項目に対応する機能を起動させることができるようになっている。
【００４３】
次に、図１１の遷移図に基づいて、重ね型携帯電話機３０の機能の遷移の一例について説明する。図中において、左側の破線で囲まれている領域は、閉状態における重ね型携帯電話機３０の各種の機能の動作状態等を表し、右側の破線で囲まれている領域は、開状態における重ね型携帯電話機３０の各種の機能の動作状態等を表しているものとする。
【００４４】
例えば、閉状態において、図９に示すＥメール機能中の選択画面７６が表示面１２に表示されていて、３方向レバー４４の上下方向の操作によって新規作成の項目を「選択」した場合に、さらに３方向レバー４４をセンター方向に押し込んで「決定」の操作をすることにより（図１１中、矢印ｆ）、閉状態のままで、図示しない新規作成画面に遷移する。
【００４５】
しかし、このままでは主操作部１６のテンキー２０等を使用することができないので、ユーザーは、第１筐体３２と第２筐体３４を開くようにしなければならない（図１１中、矢印ｇ）。このため、表示面１２には、第１筐体３２と第２筐体３４を開くように促す案内として「開いて下さい」等と表示するようにする。
【００４６】
一方、閉状態において、図９に示すＥメール機能中の選択画面７６が表示面１２に表示されていて、３方向レバー４４の上下方向の操作によって新規作成の項目を「選択」した場合に、３方向レバー４４をセンター方向に押し込まずに、第１筐体３２と第２筐体３４を開くようにするだけでも（図１１中、矢印ｈ）、状態検出手段６４がこれを検出して、新規作成画面に遷移させるようにすることができる。このように、ユーザーは、混乱することなく操作を簡略化することができるので、直ちにＥメールの文章を作成する作業に入ることができる。
【００４７】
なお、図１及び図３に示すように、閉状態から開状態になると、表示面１２の画面の向きが上下逆になるので、そのようなときは表示画面が１８０°反転して表示されるようになっていることはいうまでもない。
【００４８】
また、閉状態において、図１０に示すメモ帳機能中の選択画面７８が表示面１２に表示されていて、３方向レバー４４の上下方向の操作によってメモ作成の項目を「選択」した場合に、さらに３方向レバー４４をセンター方向に押し込んで「決定」の操作をすることにより（図１１中、矢印ｉ）、閉状態のままで、図示しないメモ作成画面に遷移する。
【００４９】
しかし、このままでは主操作部１６のテンキー２０等を使用することができないので、ユーザーは、第１筐体３２と第２筐体３４を開くようにしなければならない（図１１中矢印ｊ）。このため、表示面１２には、第１筐体３２と第２筐体３４を開くように促す案内として「開いて下さい」等と表示するようにする。
【００５０】
一方、閉状態において、図１０に示すメモ帳機能中の選択画面７８が表示面１２に表示されていて、３方向レバー４４の上下方向の操作によってメモ作成の項目を「選択」した場合に、３方向レバー４４をセンター方向に押し込まずに、第１筐体３２と第２筐体３４を開くようにするだけでも（図１１中矢印ｋ）、状態検出手段６４がこれを検出して、メモ作成画面に遷移させるようにすることができる。この場合にもユーザーは、混乱することなく操作を簡略化することができるので、直ちにメモを作成する作業に入ることができる。
【００５１】
また、閉状態における各種の選択画面から、主操作部１６のテンキー２０等による操作を必要としない機能を選択した場合であっても、３方向レバー４４をセンター方向に押し込むか、または第１筐体３２と第２筐体３４を開くことにより、いずれの操作によっても、選択した機能を立ち上げるようにすることができる。
【００５２】
例えば、閉状態において、図７に示すような第１の機能選択画面７２が表示面１２に表示されていて、Ｅメールの機能が「選択」されている場合に、３方向レバー４４をセンター方向に押し込んで「決定」の操作をすることにより（図１１中、矢印ｌ）、閉状態のままで表示面１２に、図９に示すＥメール機能中の選択画面７６を表示させることができ、引き続きＥメール機能中の選択画面７６に対する操作を行うことができる。
【００５３】
また、閉状態において、図７に示すような第１の機能選択画面７２が表示面１２に表示されていて、Ｅメールの機能が「選択」されている場合に、３方向レバー４４をセンター方向に押し込まずに、第１筐体３２と第２筐体３４を開くようにするだけでも（図１１中、矢印ｍ）、状態検出手段６４がこれを検出して、開状態で表示面１２に、図９に示すＥメール機能中の選択画面７６を表示させることができ、引き続きＥメール機能中の選択画面７６に対する操作を、主操作部１６により行うことができる。
【００５４】
このような操作は、閉状態において、図９に示すＥメール機能中の選択画面７６が表示面１２に表示されていて、受信ボックスまたは送信ボックスの項目を選択した場合や、図１０に示すメモ帳機能中の選択画面７８が表示面１２に表示されていて、閲覧の項目を選択した場合も同様である。
【００５５】
したがって、閉状態における各種の選択画面において、選択されたいずれかの項目の機能等を立ち上げる場合には、その機能を利用するときの操作が主操作部１６のみで可能であるか否かによらず、３方向レバー４４の操作か、或いは重ね型携帯電話機３０の開動作により立ち上げることができるようになっている。
【００５６】
また、選択画面における「決定」の操作をやり直したい場合には、閉状態のときには、サイドキー４２を押し込んでその「決定」を「キャンセル」することにより、一段階前の状態に戻すことができ、開状態のときにも、主操作部１６の操作により一段階前の状態に戻すことができる。
【００５７】
なお、開状態において、図８に示すような第２の機能選択画面７４や、図９に示すＥメール機能中の選択画面７６、及び図１０に示すメモ帳機能中の選択画面７８が表示面１２に表示されている状態から、主操作部１６により各種の機能等の項目を「選択」及び「決定」する操作は、従来の重ね型携帯端末装置２と同様に行うことができることはいうまでもない。
【００５８】
また、本発明に係る実施の形態においては、第１の機能選択画面７２及び第２の機能選択画面７４から、Ｅメールの機能、またはメモ帳の機能に遷移する場合について説明したが、その他のスケジュール帳、ブラウザ（ｗｅｂ）、伝言／音声メモ、履歴表示、カメラの機能に遷移させる場合や、メモ帳、メール、スケジュール帳、カメラの機能のうちの１つの機能中の選択画面における、特定の項目に対応する表示画面を表示部に表示させるような場合についても適用することができる。また、Ｅメールの機能、またはメモ帳の機能の内容も、本発明に係る実施の形態において説明したものに限られるものではない。
【００５９】
さらに、本発明に係る実施の形態においては、重ね型携帯電話機３０の補助的操作部を第１筐体３２及び第２筐体３４の各側面３８，４０に配置した例を示したが、これ以外に第１筐体３２の表示部１１が配置された面や第２筐体３４の主操作部１６が配置された面と隣り合う端面など、閉状態にて第１筐体３２と第２筐体３４の互いに対向する面以外の面に配置してあれば良い。
【００６０】
ただし、閉状態における片手での操作性を考慮すると、補助的操作部は第１筐体３２の表示部１１が配置される面と隣り合う側面及び／又は第２筐体３４の主操作部１６が配置される面と隣り合う側面に設けることが好ましい。
【００６１】
また、本発明に係る実施の形態においては、閉状態から開動作とすることで、閉状態の選択画面にて選択していた特定の項目に対する機能を起動させ、表示面に前記特定の項目に対応する表示画面を表示させるようにしていたが、閉状態から開状態となったことを状態検出手段６４にて検出したときに、閉状態の選択画面にて選択していた特定の項目に対する機能を起動させ、表示面に前記特定の項目に対応する表示画面を表示させるようにしても構わない。
【００６２】
ただし、閉状態の選択画面にて選択していた特定の項目に対する機能を直ちに起動させ、開状態となったとき表示面に前記特定の項目に対応する表示画面がすでに表示されているようにするためには、状態検出手段６４にて閉状態から開動作となったことを検出した段階で制御部６２に信号を送るようにする方が良い。
【００６３】
以上、本発明に係る重ね型携帯端末装置の実施の形態について示したが、本発明は、重ね型携帯端末装置が３つ以上の筐体により構成されている場合であっても、同様の技術的思想に基づいて適用することができることはいうまでもない。
【００６４】
さらに、上記実施の形態においては携帯電話機について説明したが、本発明はＰＤＡ等の他の種類の携帯端末装置にも、同様に適用することができる。
【００６５】
【発明の効果】
以上に説明したように、このような重ね型携帯端末装置によれば、主操作部による操作を必要とする選択項目の機能を起動させる場合でも、閉状態にて表示面に表示されている選択画面のうち所望の選択項目を選択した後、開動作を行うようにするだけで選択項目に対応した表示面を表示することができるため、少ない操作で、主操作部による操作をすることができる状態に移行することができ、操作を簡略化することができると共に、利便性を向上させることができる。
【図面の簡単な説明】
【図１】本発明の一実施の形態に係る重ね型携帯電話機３０の閉じた状態を示す正面図である。
【図２】図１における重ね型携帯電話機３０の左側面図である。
【図３】本発明の一実施の形態に係る重ね型携帯電話機３０の開いた状態を示す正面図である。
【図４】図３における重ね型携帯電話機３０の背面図である。
【図５】図１における３方向レバー４４を示す重ね型携帯電話機３０の部分拡大図である。
【図６】本発明の一実施の形態に係る重ね型携帯電話機３０の回路図である。
【図７】図１における表示面１２に表示される第１の機能選択画面７２を示す図である。
【図８】図１における表示面１２に表示される第２の機能選択画面７４を示す図である。
【図９】図１における表示面１２に表示されるＥメール機能中の選択画面７６を示す図である。
【図１０】図１における表示面１２に表示されるメモ帳機能中の選択画面７８を示す図である。
【図１１】本発明の一実施の形態に係る重ね型携帯電話機３０の各種機能の遷移図である。
【図１２】従来の折り畳み型携帯電話機２を示す斜視図である。
【符号の説明】
２  折り畳み型携帯電話機
４，６  筐体
１０  内側面
１１  表示部
１２  表示面
１３ａ，１３ｂ  スピーカー
１４  内側面
１５  マイク
１６  主操作部
１８  十字キー
２０  テンキー
３０  重ね型携帯電話機
３２  第１筐体
３４  第２筐体
３６  軸
３８，４０  側面
４２  サイドキー
４４  ３方向レバー
４６  カメラ
４８  鏡
５０  録画用マイク
６０  各種機能部
６２  制御部
６４  状態検出手段
７２  第１の機能選択画面
７４  第２の機能選択画面
７６  Ｅメール機能中の選択画面
７８  メモ帳機能中の選択画面
【図１】
2004172691.tif 000003
【図２】
2004172691.tif 000004
【図３】
2004172691.tif 000005
【図４】
2004172691.tif 000006
【図５】
2004172691.tif 000007
【図６】
2004172691.tif 000008
【図７】
2004172691.tif 000009
【図８】
2004172691.tif 000010
【図９】
2004172691.tif 000011
【図１０】
2004172691.tif 000012
【図１１】
2004172691.tif 000013
【図１２】
2004172691.tif 000014